(57)【要約】【課題】弾性反転可能な蓋体付き容器の蓋体弾性反転機構を簡略化させた。【解決手段】周壁３の上端面一部を、左右両側部が低く、中間部が高い弧状隆起面４として、該弧状隆起面に対応して弧状凹面１０をなす、蓋体頂板８の基端下面を、第１肉薄ヒンジ６を介して弧状隆起面４へ連結させて、第１肉薄ヒンジ６を中心とする蓋体７の回動で容器口部５を開閉自在となし、第１肉薄ヒンジ６の左右両端から蓋体頂板８の先方へ半円弧状の第２肉薄ヒンジ１１を穿設して、該第２肉薄ヒンジと頂板基端とが囲む頂板部分を半円板状で薄肉の弾性反転板部１２とした。【選択図】　図３
2004115114.tif 000002
【特許請求の範囲】
【請求項１】
周壁３の上端一部へ蓋体頂板８の基端部を第１肉薄ヒンジ６を介し連結させて、該第１肉薄ヒンジを中心とする蓋体の回動により容器体口部５を開閉自在に閉塞する合成樹脂製の容器において、
上記周壁一部の上面を、左右両側部が低く、中間部が高い弧状隆起面４に、かつ該弧状隆起面と第１肉薄ヒンジ６を介して連結する蓋体頂板８の基端部下面を弧状凹面１０に、それぞれ形成すると共に、弧状凹面の左右両側から蓋体頂板の先方へ、上方からみてほぼ半円弧状の第２肉薄ヒンジ１１を穿設して、これ等蓋体頂板の基端面と第２肉薄ヒンジ１１とが囲む半円状頂板部分を、肉薄の弾性反転板部１２とした
ことを特徴とする、弾性反転可能な蓋体付き容器。
【請求項２】
横断面多角形状の周壁３を起立する、有底容器本体１の周壁後壁３ａの左右両側を除く上面部分を、上記弧状隆起面４として、該弧状隆起面を除く周壁３部分上面を面一となし、又該周壁部分上面へ、上記弧状凹面１０を除く頂板８外周部分から垂下させた蓋体周壁部分下端面を載置させると共に、上記弾性反転板部１２の左右外方の頂板８部分内縁から連続壁１３，１３　を垂下させてこれ等連続壁下端縁と弾性反転板の左右両側外縁とを第２肉薄ヒンジ１１の一部を介して連続させた
ことを特徴とする、請求項１記載の弾性反転可能な蓋体付き容器。
【請求項３】
多角形状の胴部２２上端から肩部を介して筒状の口頸部２４を起立する容器体２１と、
上記口頸部外面へ嵌合させた筒状内筒２６と該内筒を囲む多角筒状の外筒２７とを、頂壁２８下面から垂下する、平面多角形状のキャップ２５とからなり、
キャップ頂壁の左右方向中間部を窪み２９とすると共に該窪み後方の内外両筒頂壁部分上面を上記弧状隆起面４となし、
又弾性反転板部１２を除く蓋体頂板８部分を平板部とし、かつ上記窪み２９内へ嵌合させて、該平板部上面と頂壁左右両側部上面とをほぼ面一となし、
更に口頸部２４上方の窪み底面部分に口部５を穿設して該口部を頂板８から垂設した栓３１で閉塞させた
ことを特徴とする、請求項１記載の弾性反転可能な蓋体付き容器。
【請求項４】
平面鍔状とした容器の頂壁２８径方向一部の内外両縁間を窪み２９に形成して、該窪み内外縁一方周壁部分の左右両側を除いた部分を弧状隆起面４とし、該弧状隆起面と第１肉薄ヒンジ６を介して連結された蓋体７を、上記窪み２９内へ嵌合させて、弾性反転板部１２を除く蓋体頂板部分上面と上記頂壁２８上面とをほぼ面一となし、
又第２肉薄ヒンジ１１の先端縁よりも先方の頂板部分下面から栓３１を垂下させて、該栓着脱により該栓下方の窪み部底面を形成する頂壁部分に設けた口部５を開閉自在に閉塞させた
ことを特徴とする、請求項１記載の弾性反転可能な蓋体付き容器。
【発明の詳細な説明】
【０００１】
【発明の属する技術分野】
本発明は、弾性反転可能な蓋体付き容器に関する。
【０００２】
【従来の技術】
【発明が解決しようとする課題】
キャップ本体等の周壁上端の一部へ、蓋体頂板の基端部を肉薄ヒンジを介し連結させて、該肉薄ヒンジを中心とする蓋体の回動により容器の口部を開閉自在に閉塞するよう設けた合成樹脂製の容器が広く使用されている。
【０００３】
上記肉薄ヒンジは通常直線状に形成されているが、特開昭６０−１８３３５７号が示すようにその肉薄ヒンジを曲線で形成することも行われている。しかしその肉薄ヒンジを曲線で形成すると、該肉薄ヒンジを中心とする蓋体等の回動途中でその肉薄ヒンジ部分の一部が圧縮され、又他部が引伸ばされるため、蓋体等の回動が終了した後もそれ等の力が残って蓋体が不安定となり易い欠点があった。
【０００４】
本発明はそのような欠点を除去して蓋体の弾性反転が可能に設けたものである。
【０００５】
【課題を解決するための手段】
第１の手段として、周壁３の上端一部へ蓋体頂板８の基端部を第１肉薄ヒンジ６を介し連結させて、該第１肉薄ヒンジを中心とする蓋体の回動により容器体口部５を開閉自在に閉塞する合成樹脂製の容器において、
上記周壁一部の上面を、左右両側部が低く、中間部が高い弧状隆起面４に、かつ該弧状隆起面と第１肉薄ヒンジ６を介して連結する蓋体頂板８の基端部下面を弧状凹面１０に、それぞれ形成すると共に、弧状凹面の左右両側から蓋体頂板の先方へ、上方からみてほぼ半円弧状の第２肉薄ヒンジ１１を穿設して、これ等蓋体頂板の基端面と第２肉薄ヒンジ１１とが囲む半円状頂板部分を、肉薄の弾性反転板部１２とした。
【０００６】
第２の手段として上記第１の手段を有すると共に、横断面多角形状の周壁３を起立する、有底容器本体１の周壁後壁３ａの左右両側を除く上面部分を、上記弧状隆起面４として、該弧状隆起面を除く周壁３部分上面を面一となし、又該周壁部分上面へ、上記弧状凹面１０を除く頂板８外周部分から垂下させた蓋体周壁部分下端面を載置させると共に、上記弾性反転板部１２の左右外方の頂板８部分内縁から連続壁１３，１３　を垂下させてこれ等連続壁下端縁と弾性反転板の左右両側外縁とを第２肉薄ヒンジ１１の一部を介して連続させた。
【０００７】
第３の手段として、上記第１の手段を有すると共に、多角形状の胴部２２上端から肩部を介して筒状の口頸部２４を起立する容器体２１と、
上記口頸部外面へ嵌合させた筒状内筒２６と該内筒を囲む多角筒状の外筒２７とを、頂壁２８下面から垂下する、平面多角形状のキャップ２５とからなり、
キャップ頂壁の左右方向中間部を窪み２９とすると共に該窪み後方の内外両筒頂壁部分上面を上記弧状隆起面４となし、
又弾性反転板部１２を除く蓋体頂板８部分を平板部とし、かつ上記窪み２９内へ嵌合させて、該平板部上面と頂壁左右両側部上面とをほぼ面一となし、
更に口頸部２４上方の窪み底面部分に口部５を穿設して該口部を頂板８から垂設した栓３１で閉塞させた。
【０００８】
第４の手段として、上記第１の手段を有すると共に、平面鍔状とした容器の頂壁２８径方向一部の内外両縁間を窪み２９に形成して、該窪み内外縁一方周壁部分の左右両側を除いた部分を弧状隆起面４とし、該弧状隆起面と第１肉薄ヒンジ６を介して連結された蓋体７を、上記窪み２９内へ嵌合させて、弾性反転板部１２を除く蓋体頂板部分上面と上記頂壁２８上面とをほぼ面一となし、
又第２肉薄ヒンジ１１の先端縁よりも先方の頂板部分下面から栓３１を垂下させて、該栓着脱により該栓下方の窪み部底面を形成する頂壁部分に設けた口部５を開閉自在に閉塞させた。
【０００９】
【発明の実施の形態】
以下図面について説明する。まず図１から図３が示す第１実施形態について説明すると、１は四角形状の底壁２外周から四角筒状の周壁３を起立する容器本体である。該周壁のうち、後壁３ａの上面は、その左右両側部３ｂ，３ｂ　を残して上方へ弧状に隆起させて、左右両側部が低く、中間部が高い弧状隆起面４としている。該弧状隆起面を除く周壁部分の上端面は面一の水平面としており、該水平面に対して弧状隆起面の左右方向中間部の上面が形成する頂面までの高さは、上記水平面よりも僅かに高く形成している、尚図示例にあっては周壁上端と弧状隆起面とが容器体の口部５を形成する。
【００１０】
上記周壁上端には、弧状隆起面４と、第１肉薄ヒンジ６を介して連結させた蓋体７が載置させてあり、第１肉薄ヒンジ６を中心とする蓋体７の回動で口部５を開閉自在としている。該蓋体は、四角形状に設けた頂板８口部の弧状隆起面との連結部分を除く外周部分から、蓋体周壁９を垂下し、該蓋体周壁下端面を、既述容器本体周壁部分の上端面へ載置させている。蓋体周壁の後壁部分は、その左右両部９ａ，９ａ　を残し、頂板８の後端部下面を、上記弧状隆起面４と対応する弧状凹面１０に形成し、該弧状凹面の後端縁と、弧状隆起面の上端後縁とを第１肉薄ヒンジ６で連結しており、よって弧状隆起面と接する頂板部分は蓋体周壁を有しない。尚第１肉薄ヒンジは図１が示すようにやや後方へ突出させて設けている。
【００１１】
図示例において、弧状凹面の左右両端から頂板前方へほぼ半円状の第２肉薄ヒンジ１１を穿設して、これ等頂板後端縁と第２肉薄ヒンジ１１とが囲む頂板部分を肉薄の弾性反転板部１２としている。該弾性反転板部は、弧状隆起面４とほぼ同じ曲率半径で、左右方向中間部を高く、左右両部を低く、弯曲させて形成しており、又左右方向中間部上面は、該弾性反転板部を除く頂板部分上面と同一水平面上に位置するよう設けている。弾性反転板部下面は、左右方向中間部が高い凹面をなし、かつ該凹面は、弾性反転部の後端から先端に向かって次第に減少して、その先端部分において解消するよう設けている。
【００１２】
又弾性反転板部１２の左右外方の頂板部分８ａ，８ａ　の内縁からは、連続壁１３，１３　を垂下させて、これ等連続壁か多年と、弾性反転板部の左右両側体縁とを第２肉薄ヒンジ１１の一部を介して連続させている。尚蓋体周壁の前壁部の白湯方向中間部下端から開閉蓋用指掛け１４を前方へ突出させている。
【００１３】
上記容器は図２が示すように蓋体７を後方へ突出させた開蓋状態で、弾性を有する合成樹脂材により一体成形することが出来るが、容器本体底壁２は、容器本体周壁下端面を別に設けた底壁で閉塞させてもよい。
【００１４】
上記構成において、図１の閉蓋状態から指掛け１４を押上げすると、第１肉薄ヒンジ６の左右方向中間部において弾性反転板部１２は圧縮され、又左右両側部においては弾性に抗して引伸ばされ、蓋体が死点を過ぎることで、弾性反転板部１２は図２が示すように弾性反転して開蓋する。閉蓋の際も同様に弾性反転して閉塞される。
【００１５】
図４から図６は第２実施形態を示す。
【００１６】
該実施形態において、２１は四角形状の胴部２２上端から肩部２３を介して円筒状の口頸部２４を起立する容器体であり、その口頸部外面へは雄ねじを付設させている。
【００１７】
２５はキャップで、上記口頸部外面へ螺合させた内筒２６と該内筒を囲む四角筒状の外筒２７とを頂壁２８から垂下する。その頂壁２８の左右方向中間部は窪み２９として左右両側部上面よりもやや低く形成し、又その窪み後方の内外両筒頂壁部分は、その両端部を除いて図４、図６が示すように左右両部が低く、かつ中間部が高い弧状隆起面４としている。又口頸部２４上方の窪み部分の前部側には、透孔周縁から短筒３０を起立させた、収納物流出用の口部５を設けている。
【００１８】
上記弧状隆起面４へは、第１肉薄ヒンジ６を介して蓋体７の頂板後端部下面の弧状凹面１０を連結させる。該蓋体は既述窪み内へ嵌合可能な大きさに設けた頂板８外周から弧状隆起面への連結部分を除いて蓋体酒癖９を垂下し、かつその蓋体周壁前部の下端には図４、図５が示すように指掛け１４を付設しており、又頂板前部からは既述口部５内へ嵌合させて栓３１を垂下する。
【００１９】
１１は第１肉薄ヒンジ６の左右両端部から頂板前方へ穿設した半円状の第２肉薄ヒンジであり、該第２肉薄ヒンジと頂板後端縁とが囲む頂板部分を弾性反転板部１２としている。
【００２０】
該実施形態の場合、弾性反転板部１２の左右方向中間部上面の後端部は図６が示すように頂壁２８の左右両側部上面よりもやや高くし、その前端において頂壁上面と同一高さとなるよう設けている。
【００２１】
蓋体７の開閉は、第１実施形態の場合と同様に行うことが出来る。
【００２２】
図７から図１０は第３実施形態を示す。
【００２３】
該実施形態における容器は、図７が示すように平面鍔形状をなし、頂壁２８の内外周縁から内外周壁３２，３３　を垂下し、その両周壁下端面を、別に設けた底壁２で閉塞させている。
【００２４】
その頂壁２８の径方向一部は、内外両外縁間を窪み２９に形成して、その内外縁いずれかの一方、図示例では外周壁部分の左右両側を除いた部分を、弧状隆起面４とし、該弧状隆起面前方で窪み部前後方向中間部までの頂壁部分を半円状の弯曲する隆起面３４としている。該隆起面は外縁中間部が最も高く、内縁にいたるに従い、次第に下降するよう設けており、又窪み前方に、第２実施形態の場合と同様に、短筒３０を起立する口部５を設けている。
【００２５】
第２実施形態の場合と同様に弧状隆起面４へは、第１肉薄ヒンジ６を介して蓋体７の頂板外端部を連結している。蓋体７は窪み２９内へ、後部を除く部分を嵌合可能に設けた頂板１８外周から、弧状隆起面への連結部分を除いて蓋体周壁９を垂下し、又上記後部５上方の頂板部分から筒状の栓３１を垂下させて後部５内へ嵌合可能に設けている。頂板後部は内周壁部分内方へ突出させて、該突出部分を開閉蓋用の指掛け１４とする。後述弾性反転板部１２を除く頂板８部分上面は頂壁２８上面とほぼ面一としている。
【００２６】
弧状隆起面４と第１肉薄ヒンジ６を介して連結させた蓋体頂板８の後端部両端から、頂板前方部分へほぼ半円弧状の第２肉薄ヒンジ１１を穿設して、これ等が囲む半円状頂板部分を弾性反転板部１２とするが、該弾性反転板部の左右両側部と、これ等両側部外方の頂板８部分上面との間には高低差を生ずるため、第１実施形態の場合と同様に、弾性反転板部左右側方の頂板８部分内縁から連続壁１３，１３　を垂下して、これ等連続壁下端縁と第２肉薄ヒンジ１１部分を介して弾性反転板部１２の左右側部とを連続させている。
【００２７】
該実施形態の場合も、第１実施形態の場合と同様に弾性反転板部１２の弾性反転で蓋体７を開閉蓋させることが出来る。
【００２８】
尚既述第２、第３実施形態において、第１実施形態と同じ部分については同一符号を付することで説明を省略した。
【００２９】
【発明の効果】
本発明は既述構成とするもので、請求項１記載のようにすることで、弾性反転板部１２の弾性反転で蓋体７を弾性反転させて開閉蓋させることが出来、又蓋体７の開閉蓋は、弾性反転板部１２の弾性に抗して行うこととなるため、他物に触れる等して蓋体が開く等のことがなく、又蓋体が開蓋時に揺動することがない。第１肉薄ヒンジ６は、弧状隆起面４と蓋体頂板基端部の下面が形成する弧状凹面１０とを連続させて左右両部が低く、中間部が高い弯曲線状に形成するから、蓋体７の弾性反転機構を簡略化できる。
【００３０】
請求項２、３又は４のようにすることで、それぞれの容器体の形状に応じた、弾性反転する蓋体付き容器とすることが容易である。
【図面の簡単な説明】
【図１】本発明容器の斜視図である。
【図２】図１容器を開蓋状態で示す斜視図である。
【図３】第１容器の断面図である。
【図４】第２実施形態で示す容器の断面図である。
【図５】図４容器の平面図である。
【図６】図４容器を後方側からみた側面図である。
【図７】第３実施形態で示す容器の平面図である。
【図８】図７容器要部の拡大斜視図である。
【図９】図７容器要部を開蓋状態で示す拡大斜視図である。
【図１０】図７容器要部の断面図である。
【符号の説明】
１…容器本体　　　　　　　　　　　　４…弧状隆起面
５…口部　　　　　　　　　　　　　６…第１肉薄ヒンジ
７…蓋体　　　　　　　　８…頂板
９…蓋体周壁　　　　　　１０…弧状凹面
１１…第２肉薄ヒンジ　　　　　　１２…弾性反転部
２１…容器体　　　　　　　　２５…キャップ
２８…頂壁　　　　　　　　　　　２９…窪み
３１…栓
【図１】
2004115114.tif 000003
【図２】
2004115114.tif 000004
【図３】
2004115114.tif 000005
【図４】
2004115114.tif 000006
【図５】
2004115114.tif 000007
【図６】
2004115114.tif 000008
【図７】
2004115114.tif 000009
【図８】
2004115114.tif 000010
【図９】
2004115114.tif 000011
【図１０】
2004115114.tif 000012